(57)【要約】【課題】第１刃（下刃）の刃先部の耐摩耗性が高く、かつ刃先部が摩耗した場合には、刃先部の再研磨ができるとともに、切れ味のよいスリッティング工具用切断刃を提供する。【解決手段】第１刃２および第２刃３が各々の中心を軸として互いに逆方向に回転しつつ、第２刃３の第２刃先部５が第１刃２の第１刃先部４に隣接する溝部７に挿入されて、第１刃先部４と第２刃先部５との重なり部分で被切断物を剪断により連続的に切断する切断刃１であって、第１刃２の外周面には、第１刃先部４と、溝部７を挟んで第１刃先部４と対向する対岸部８とが前記軸を中心とする同じ半径を有するように設けられているとともに、溝部７で第１刃先部４側と対岸部８側とが分割可能な別体となっており、かつ第１刃先部４は第１刃２の他の部分よりも高硬度の別の材質で構成され、第１刃２の載置部６に接着されている。【選択図】  図１
2015085430.tif 000002
【特許請求の範囲】
【請求項１】
第１刃および第２刃が各々の中心を軸として互いに逆方向に回転しつつ、前記第２刃の第２刃先部が前記第１刃の第１刃先部に隣接する溝部に挿入されて、前記第１刃先部と前記第２刃先部との重なり部分で被切断物を剪断により連続的に切断するスリッティング工具の前記第１刃および前記第２刃を具備するスリッティング工具用切断刃であって、
前記第１刃の外周面には、リング状の前記第１刃先部と、前記溝部を挟んで前記第１刃先部と対向する対岸部とが前記軸を中心とする同じ半径を有するように設けられているとともに、前記溝部で前記第１刃先部側と前記対岸部側とが分割可能な別体となっており、かつ前記第１刃先部は前記第１刃の他の部分よりも高硬度の別の材質で構成され、前記第１刃の載置部に接着されているスリッティング工具用切断刃。
【請求項２】
前記第１刃先部側と前記対岸部側がネジ留めされている請求項１記載のスリッティング工具用切断刃。
【請求項３】
前記溝部の幅が１０ｍｍ以下である請求項１または２記載のスリッティング工具用切断刃。
【請求項４】
請求項１乃至３のいずれか記載のスリッティング工具用切断刃の前記第１刃および前記第２刃が各々の中心を軸として互いに逆方向に回転しつつ、前記第１刃の刃先部と前記第２刃の刃先部との重なり部分で前記被切断物を剪断により連続的に切断するスリッティング工具。
【発明の詳細な説明】
【技術分野】
【０００１】
本発明は、フィルムや金属箔などの薄い帯状体を連続して一定の幅に切断するスリッティング工具用切断刃およびスリッティング工具に関する。
【背景技術】
【０００２】
フィルムや金属箔などの薄い帯状体を多数条に切断するために、下刃部材の回転軸と上刃部材の回転軸とを互いに平行に配置するとともに、上刃部材の上刃の先端部が下刃部材の下刃に接するように配置したスリッティング工具が用いられている。
【０００３】
特許文献１では、かかるスリッティング工具の一例として、下刃部材の刃先部に隣接して溝部が形成され、該溝部に上刃部材の刃先部を挿入したスリッティング工具が知られている。
【先行技術文献】
【特許文献】
【０００４】
【特許文献１】特開２０００−３４３４８２号公報
【発明の概要】
【発明が解決しようとする課題】
【０００５】
上記特許文献１に記載されているスリッティング工具では、刃先部が摩耗した場合には刃部を再研磨して使用される。しかしながら、下刃部の形状が、刃先部に隣接して溝部が設けられるとともに、この溝部を挟んで刃先部と対向する対岸部とが同じ高さに位置する形状の場合には、対岸部が邪魔になって刃先部を再研磨することができないという問題があった。また、溝部に代えてスペーサを挟み込む形状もあるが、スペーサの強度を保つために、スペーサの幅を広くする必要があり、被切断物がスペーサ上を通過する際に撓んでしまい、切れ味が悪くなるという問題があった。
【０００６】
そこで、本発明は、第１刃（下刃）の刃先部の耐摩耗性が高く、かつ刃先部が摩耗した場合には、刃先部の再研磨ができるとともに、切れ味のよいスリッティング工具用切断刃およびスリッティング工具を提供することを目的とする。
【課題を解決するための手段】
【０００７】
本発明のスリッティング工具用切断刃は、第１刃および第２刃が各々の中心を軸として互いに逆方向に回転しつつ、前記第２刃の第２刃先部が前記第１刃の第１刃先部に隣接する溝部に挿入されて、前記第１刃先部と前記第２刃先部との重なり部分で被切断物を剪断により連続的に切断するスリッティング工具の前記第１刃および前記第２刃を具備するスリッティング工具用切断刃であって、
前記第１刃の外周面には、リング状の前記第１刃先部と、前記溝部を挟んで前記第１刃先部と対向する対岸部とが前記軸を中心とする同じ半径を有するように設けられているとともに、前記溝部で前記第１刃先部側と前記対岸部側とが分割可能な別体となっており、かつ前記第１刃先部は前記第１刃の他の部分よりも高硬度の別の材質で構成され、前記第１刃の載置部に接着されているものである。
【０００８】
また、本発明のスリッティング工具は、上記スリッティング工具用切断刃を備えたものである。
【発明の効果】
【０００９】
本発明によれば、第１刃の第１刃先部のみを高硬度材にて構成するので、刃先部の耐摩耗性が高い。しかも、第１刃先部が摩耗した場合には、対岸部を取り外して第１刃先部がむき出しになるため、第１刃先部を再研磨ができて、有効に利用することができ、コストダウンにつながる。
【図面の簡単な説明】
【００１０】
【図１】本発明のスリッティング工具用切断刃の一例を示す模式図であり、（ａ）正面図、（ｂ）要部拡大断面図である。
【発明を実施するための形態】
【００１１】
本発明のスリッティング工具用切断刃の一例を示す模式図である図１を基に説明する。
【００１２】
図１によれば、スリッティング工具用切断刃（以下、切断刃と略す）１は、概略円板形状の２枚の切断刃である第１刃（下刃）２と第２刃（上刃）３とを具備する。そして、第１刃（下刃）２の第１刃先部４と第２刃（上刃）３の第２刃先部５とが所定間隔（オーバーラップ量）Ｄだけ重なった状態で平行に配設されている。
【００１３】
また、各切断刃２、３は各々の中心（Ｏ、Ｐ）の軸が固定されて、その軸を中心にそれぞれが回転するようにセッティングされている。なお、第１刃（下刃）２と第２刃（上刃）３それぞれの周縁部の軌跡にて形成される仮想平面同士の平行度（図１のＬ１とＬ２との平行度）は２度以内であればずれていてもよい。
【００１４】
本実施態様における切断刃１は、第２刃（上刃）３の第２刃先部５が第１刃２の第１刃先部４に隣接する溝部７に挿入されて、第１刃先部４と第２刃先部５との重なり部分で被切断物を剪断により連続的に切断する。
【００１５】
本実施態様によれば、第１刃２の外周面には、リング状の第１刃先部４と、溝部７を挟んで第１刃先部４と対向する対岸部８とが設けられている。第１刃先部４と対岸部８とは同じ高さに位置している。すなわち、中心Ｏからの距離（半径）が同じであり、第１刃先部４と対岸部８との外周は同じ半径の円となっている。
【００１６】
また、溝部７で第１刃先部４側と対岸部８側とに分割可能となっている。すなわち、第１刃２は、第１刃先部４を含む刃先側部材９と、対岸側８を含む対岸側部材１０との２つの部材に分割されており、ネジ部材１１で組み立てられている。そして、第１刃先部４は、第１刃２の中で他の部分よりも高硬度の別の材質で構成され、第１刃４の載置部６にエポキシ樹脂等の接着剤にて接着されている。
【００１７】
この構成によって、第１刃２の第１刃先部４を高硬度材にて構成するので、第１刃先部４の耐摩耗性が高い。なお、第１刃２の全体を高硬度材で構成することも考えられるが、第１刃２が複雑な形状であるために、加工が難しくコスト高になって実用的でない。また、第１刃先部４が摩耗した場合には、第１刃先部４を再研磨して再利用すればよく、コストダウンにつながる。このとき、溝部７を挟んで第１刃先部４に対向する対岸側部材１０を取り外すことができるので、第１刃先部４の再研磨面をむき出しにすることができる。そのため、第１刃先部４の再研磨が容易にできる。
【００１８】
なお、本実施態様によれば、ネジ部材１１は４か所設けられているが、４か所に限定されるものではなく、２か所以上であれば何か所でもよい。また、第１刃先部４は第１刃先部４の載置部６に対して幅ｔ（ｔ＝１〜５ｍｍ）だけ突出した状態で接着される。これによって、再研磨する際に高硬度材のみが研磨されるため、高硬度材以外の材質の削りかす（例えば金属粉）が発生することなく、第１刃先部４の加工精度が向上して、第１刃先部
４のエッジもシャープな形状に仕上げることができるという効果がある。
【００１９】
第１刃先部４が、超硬合金やサーメット、ダイヤモンド質焼結体、ｃＢＮ質焼結体等の高硬度材からなり、耐摩耗性に優れている。第１刃２のその他の部分は、金属や合金鋼からなり、コストダウンすることができる。そして、第１刃２の第１刃先部４は、エポキシ樹脂等の接着剤によって、第１刃２の載置部６に接着されている。
【００２０】
また、本実施態様によれば、第２刃３の第２刃先部５も第１刃先部４と同じ高硬度材からなる。第２刃３も第２刃先部５のみが高硬度材からなり、その他の部分を他の部材からなるものであってもよいが、第２刃３を薄板化して溝部７の幅を狭くする場合には、第２刃３の全体が高硬度材からなるものであってもよい。
【００２１】
本実施態様によれば、溝部７の幅ｗ、換言すると、第１切刃部４と対岸部８との間の距離は１０ｍｍ以下、特に３〜６ｍｍからなる。これによって、被切断材がたるむことなく被切断材に張力を付与した状態で切断することができる。
【００２２】
ここで、本実施態様における第２刃３の第２刃先部５における先端角θは６０°以下、特に４５°以下、さらには１０〜３０°のシャープエッジをなす薄刃からなる。これによって、被切断材にかかる応力を小さくできて切断面の寸法精度が高くかつダレやバリのない良好な加工面とすることができるとともに、溝部７の幅を小さくできて、被切断材のたるみを抑制することができる。
【００２３】
本発明のスリッティング工具は、樹脂フィルム、磁気テープ、紙、金属箔、金属薄板等の長尺シート状の被切断物を連続的に切断するために好適に用いられる。
【符号の説明】
【００２４】
１    スリッティング工具用切断刃（切断刃）
２    第１刃（下刃）
３    第２刃（上刃）
４    第１刃先部
５    第２刃先部
６    載置部
７    溝部
８    対岸部
９    刃先側部材
１０  対岸側部材
１１  ネジ部材
【図１】
2015085430.tif 000003